(57)【要約】  １対の前面開口１１２を有するハウジング１００内部に取り付けられる１対の同軸アセンブリ１２４を持つ同軸スウィッチングジャック１２。同軸アセンブリは各々中心導体１２５及び外殻導体１２３を含む。中心導体は第一のバネ１３０によって接続され、外殻導体は第二のバネ１１６によって接続される。同軸ケーブルコネクタを前面開口の１つの中へ挿入すると、対応する同軸アセンブリからバネを偏向させて、２つのアセンブリの中心導体と外殻導体を遮断する。同軸ケーブルコネクタが第一の同軸アセンブリの中へ挿入される場合第二の同軸アセンブリの中心導体と外殻導体との間に電気接続をもたらすようにジャックを形成することもできる。第二の同軸アセンブリの中心導体と外殻導体との間の接続は望ましい電気インピーダンスの選択を可能にする。【選択図】図２７
2008538050.tif 000002
【特許請求の範囲】
【請求項１】
１対の後面開口及び１対の前面開口を有し、各開口が相手側の同軸ケーブルコネクタを受け入れるように形成されたハウジングと、
前記ハウジング内部に取り付けられる１対の同軸アセンブリであり、各同軸アセンブリが前記前面開口の１つに隣接する第一の端及び前記後面開口の１つに隣接する第二の端を有し、各同軸アセンブリが中心導体及び外殻導体を含む、１対の同軸アセンブリと、
前記同軸アセンブリの前記中心導体と接触する第一の導電性バネ及び前記同軸アセンブリの前記外殻導体と接触する第二の導電性バネと、
を含み、
前記相手側の同軸ケーブルコネクタを前記前面開口の１つの中へ挿入することによって、前記第一のバネを偏向させて前記対応する同軸アセンブリの前記中心導体との間の電気接触から離し、前記第二のバネを偏向させて前記対応する同軸アセンブリの前記外殻導体との間の接触から離し、かつ前記ケーブルコネクタの中心導体を前記同軸アセンブリの前記中心導体と電気的に接続しかつ前記ケーブルコネクタの外殻導体を前記同軸アセンブリの前記外殻導体と電気的に接続し、
前記第一及び第二のバネのいずれも前記相手側の同軸ケーブルコネクタに電気的に接触しない、ことを特徴とする同軸スウィッチングジャック。
【請求項２】
さらに、前記対応する同軸アセンブリと係合する前記前面開口の１つへ挿入される前記同軸ケーブルコネクタを含み、前記外殻導体が前記ハウジングの前記前面開口に隣接する前記中心導体の周りに連続した円筒を形成することを特徴とする、請求項１に記載の同軸スウィッチングジャック。
【請求項３】
さらに、レジスタパッドを取り付けるための１対のソケットを含み、前記ソケットの１つが前記第二のバネに電気的に接続され、前記レジスタパッドが前記２つのソケットを電気的に接続し、
相手側の同軸コネクタが前記前面開口の１つを通過して１つの同軸アセンブリの中へ挿入されるとき前記第一のバネを偏向させて他方のソケットと電気的に接触させ、かつ他方の同軸アセンブリの前記外殻導体と前記中心導体が前記レジスタパッドを通過して電気的に接続されることを特徴とする、
請求項１に記載の同軸スウィッチングジャック。
【請求項４】
前記レジスタパッドが前記ソケットから取外し可能であり、第二のレジスタパッドを前記ソケット内に配置できることを特徴とする、請求項３に記載の同軸スウィッチングジャック。
【請求項５】
前記ハウジングが開放側を有し、かつ開放側内部にカバーが配置され、前記カバーと前記ハウジングが協働して内部を形成することを特徴とする、請求項１に記載の同軸スウィッチングジャック。
【請求項６】
さらに、レジスタパッドを取り付けるための１対のソケットを含み、前記ソケットの１つが第二のバネに電気的に接続され、前記レジスタパッドが前記２つのソケット内部に挿入されかつ前記２つのソケットを電気的に接続し、
前記前面開口の１つを通過して相手側の同軸コネクタが１つの同軸アセンブリ内に挿入されるとき第一のバネを偏向させて他方のソケットと電気的に接触させ、かつ他方の同軸アセンブリの前記外殻導体と前記中心導体が前記レジスタパッドを通過して電気的に接続されることを特徴とする、
請求項５に記載の同軸スウィッチングジャック。
【請求項７】
前記レジスタパッドが前記内部の外に配置され、前記カバーを通り抜けて伸びるピンによって前記ソケットに接続されることを特徴とする、請求項６に記載の同軸スウィッチングジャック。
【請求項８】
前記第一のバネがさらに絶縁パッドを含み、前記同軸ケーブルコネクタの前部がこれに接触して前記第一のバネを偏向させて前記同軸アセンブリの前記中心導体から離し、かつ前記絶縁パッドが前記同軸ケーブルコネクタが前記第一のバネと電気的に接触するのを防止することを特徴とする、請求項１に記載の同軸スウィッチングジャック。
【請求項９】
さらに、前記第二のバネに隣接する１対の旋回絶縁アクチュエータを含み、前記アクチュエータが前記同軸ケーブルコネクタの前部に係合して前記第二のバネを偏向させて前記同軸アセンブリの前記外殻導体から離すように配置され、前記アクチュエータが前記同軸ケーブルコネクタが前記第二のバネに電気的に接触するのを防止することを特徴とする、請求項１に記載の同軸スウィッチングジャック。
【請求項１０】
少なくとも１つの取付けプレートが取り付けられるフレームであり、前記取付けプレートが前記取付けプレートの後面へ取り付けられる同軸スウィッチングジャックへの前面からの接近路となる複数の開口を含むフレームと、
前記少なくとも１つの取付けプレートの前記後面に取り付けられる複数の同軸スウィッチングジャックと、を備え、
各同軸スウィッチングジャックが、
１対の後面開口及び１対の前面開口を有するハウジングであり、各開口が相手側の同軸ケーブルコネクタを受け入れるように形成され、前記前面開口が前記取付けプレートの開口と整列する、ハウジングと、
前記ハウジング内部に取り付けられる１対の同軸アセンブリであり、各アセンブリが前記前面開口の１つに隣接する第一の端及び前記後面開口の１つに隣接する第二の端を有し、各同軸アセンブリが中心導体及び外殻導体を含む、１対の同軸アセンブリと、
前記同軸アセンブリの前記中心導体と接触する第一の導電性バネ及び前記同軸アセンブリの前記外殻導体と接触する第二の導電性バネと、を含み、
前記取付けプレートの開口を通過して前記相手側の同軸ケーブルコネクタを前記前面開口の１つへ挿入することによって、前記第一のバネを偏向させて前記対応する同軸アセンブリの前記中心導体との間の電気接触から離し、前記第二のバネを偏向させて前記対応する同軸アセンブリの前記外殻導体との間の接触から離し、かつ前記ケーブルコネクタの中心導体を前記同軸アセンブリの前記中心導体と電気的に接続し、かつ前記ケーブルコネクタの外殻導体を前記同軸アセンブリの前記外殻導体と電気的に接続し、
前記第一及び第二のバネのいずれも前記相手側の同軸ケーブルコネクタに電気的に接触しない、ことを特徴とする、同軸スウィッチングパネル。
【請求項１１】
前記フレームが前記フレームの両側から伸びる１対の取付けフランジを含むことを特徴とする、請求項１０に記載の同軸スウィッチングパネル。
【請求項１２】
前記少なくとも１つの取付けプレートが前記後面から伸びる１対の対向するフランジを含み、各同軸スウィッチングジャックが前記ハウジングの一方の側にタブを含みかつ前記ハウジングの反対側に解除可能なラッチを含み、かつ前記タブ及びラッチが前記フランジと協働して前記同軸スウィッチングジャックを前記取付けプレートに解除可能に取り付けることを特徴とする、請求項１０に記載の同軸スウィッチングパネル。
【請求項１３】
前記少なくとも１つの取付けプレートの前記後面が、前記ハウジングの前壁の突起と協働して各同軸スウィッチングジャックの前記前面開口を位置付けしこれを前記取付けプレートの１対の開口と整列させる凹パターンを含むことを特徴とする、請求項１０に記載の同軸スウィッチングパネル。
【請求項１４】
前記凹パターンが縦溝及びこれと交差する横溝を含むことを特徴とする、請求項１３に記載の同軸スウィッチングパネル。
【請求項１５】
前記突起が前記取付けプレートの前記後面の前記溝の交差点と係合する十字形を含むことを特徴とする、請求項１４に記載の同軸スウィッチングパネル。
【請求項１６】
前面及び後面を持つ取付けプレートであり、該プレートの前記後面が１対の対向するフランジを含む、取付けプレートと、
前記取付けプレートの前記後面に取り付けられる少なくとも１つの同軸スウィッチングジャックと、を備え、
該少なくとも１つの同軸スウィッチングジャックが、
１対の後面開口及び１対の前面開口を有するハウジングであり、各開口が相手側の同軸ケーブルコネクタを受け入れるように形成され、各前面開口が前記取り付けプレートの前記開口の１つに対応し、該ハウジングが一方の側にタブを含みかつ反対の側に解除可能なラッチを含む、ハウジングと、
前記ハウジング内部に取り付けられる１対の同軸アセンブリであり、各同軸アセンブリが前記前面開口の１つに隣接する第一の端及び前記後面開口の１つに隣接する第二の端を有し、各同軸アセンブリが中心導体及び外殻導体を含み、各同軸アセンブリが前記取付けプレートの前記開口の１つに対応する、１対の同軸アセンブリと、
前記同軸アセンブリの前記中心導体と接触する第一の導電性バネ及び前記同軸アセンブリの前記外殻導体と接触する第二の導電性バネと、を含み、
前記タブ及び前記ラッチが前記フランジと協働して前記ハウジングを前記取付けプレートに解除可能に取り付け、
前記取付けプレートの開口を通過して前記相手側の同軸ケーブルコネクタを前記前面開口の１つの中へ挿入することによって、前記ケーブルコネクタの中心導体を前記対応する同軸アセンブリの前記中心導体と接続し、かつ前記ケーブルコネクタの外殻導体を前記対応する同軸アセンブリの前記外殻導体と接続し、かつ前記バネと前記対応する同軸アセンブリとの電気接触を遮断する、ことを特徴とする、同軸スウィッチングジャックアセンブリ。
【請求項１７】
前記取付けプレートの前記後面がさらに凹パターンを含み、前記ハウジングがさらに前壁に突起を含み、前記突起と前記凹パターンが協働して各同軸スウィッチングジャックの前記前面開口を位置決めしかつこれを前記取付けプレートの１対の開口と整列させることを特徴とする、請求項１６に記載のアセンブリ。
【請求項１８】
前記凹パターンが縦溝及びこれと交差する横溝を含むことを特徴とする、請求項１７に記載のアセンブリ。
【請求項１９】
前記突起が前記取付けプレートの前記後面の前記溝の交差部と係合する十字形を含むことを特徴とする、請求項１８に記載のアセンブリ。
【請求項２０】
１対の後部ケーブル接続位置及び１対の前部ケーブル接続位置を有するハウジングであり、各前部ケーブル接続位置が相手側の同軸ケーブルコネクタを受け入れるために前面開口として形成される、ハウジングと、
前記ハウジング内部に取り付けられる１対の同軸アセンブリであり、各アセンブリが前記前部ケーブル接続位置の１つに隣接する第一の端及び前記後部ケーブル接続位置の１つに隣接する第二の端を有し、各同軸アセンブリが中心導体及び外殻導体を含み、前記ハウジングが前記外殻導体を電気的に隔離するための非導電体を含む、１対の同軸アセンブリと、
前記同軸アセンブリの前記中心導体と接触する第一の導電性バネ及び前記同軸アセンブリの前記外殻導体と接触する第二の導電性バネと、
を含み、
前記相手側の同軸ケーブルコネクタを前記前面開口の１つの中へ挿入することによって、前記第一のバネを偏向させて前記対応する同軸アセンブリの前記中心導体との間の電気接触から離し、前記第二のバネを偏向させて前記対応する同軸アセンブリの前記外殻導体との間の接触から離し、かつ前記同軸ケーブルコネクタの中心導体を前記同軸アセンブリの前記中心導体と電気的に接続し、かつ前記同軸ケーブルコネクタの外殻導体を前記同軸アセンブリの前記外殻導体と電気的に接続し、
前記相手側の同軸ケーブルコネクタが前記前面開口の１つに挿入されて前記対応する同軸アセンブリと係合すると、前記同軸ケーブルコネクタと前記対応する同軸アセンブリの前記外殻導体が協働して前記同軸ケーブルコネクタ及び前記対応する同軸アセンブリの前記中心導体の周りに全体的に円筒形の導電性通路を形成し、前記円筒形の通路が対応する前記前部ケーブル接続位置から前記後部ケーブル接続位置まで伸び、
前記第一及び第二のバネのいずれも前記相手側の同軸ケーブルコネクタに電気的に接触しないことを特徴とする、同軸スウィッチングジャック。
【請求項２１】
さらに、レジスタを取り付けるためのキャビティを含み、前記レジスタが前記第二のバネに電気的に接続され、
前記前面開口の１つを通過して相手側の同軸ケーブルコネクタが前記同軸アセンブリの１つの中へ挿入されるとき前記第一のバネを偏向させて前記レジスタと電気的に接触させ、かつ他方の同軸アセンブリの前記外殻導体と前記中心導体が前記レジスタを通過して電気的に接続される、ことを特徴とする、請求項２０に記載の同軸スウィッチングジャック。
【請求項２２】
前記レジスタが前記キャビティから取外し可能であり、第二のレジスタを前記キャビティ内に配置できることを特徴とする、請求項２１に記載の同軸スウィッチングジャック。
【請求項２３】
前記ハウジングが開放側を含み、カバーが前記開放側内に配置され、前記カバーと前記ハウジングが協働して内部を形成することを特徴とする、請求項２０に記載の同軸スウィッチングジャック。
【請求項２４】
さらに、レジスタを取り付けるためのキャビティを含み、前記レジスタが前記第二のバネに電気的に接続され、
前記前面開口の１つを通過して相手側の同軸コネクタが１つの同軸アセンブリの中へ挿入されるとき前記第一のバネを偏向させて前記レジスタと電気的に接触させ、かつ他方の同軸アセンブリの前記外殻導体と前記中心導体が前記レジスタを通過して電気的に接続されることを特徴とする、請求項２３に記載の同軸スウィッチングジャック。
【請求項２５】
前記レジスタが非導電性レジスタパッド内に配置され、かつ前記レジスタパッドが前記内部の外からアクセス可能であることを特徴とする、
請求項２４に記載の同軸スウィッチングジャック。
【請求項２６】
前記第一のバネがさらに絶縁パッドを含み、前記同軸ケーブルコネクタの前部がこれに接触して前記第一のバネを偏向させて前記同軸アセンブリの前記中心導体から離し、かつ前記絶縁パッドが前記同軸ケーブルコネクタが前記第一のバネと電気的に接触することを防止することを特徴とする、請求項２０に記載の同軸スウィッチングジャック。
【請求項２７】
前面及び後面を持つ取付けプレートであり、前記プレートの前記後面が１対の対向する壁を含む、取付けプレートと、
前記取付けプレートの前記後面に取り付けられる少なくとも１つの同軸スウィッチングジャックと、を備え、
該少なくとも１つの同軸スウィッチングジャックが、
１対の後部ケーブル接続位置及び１対の前部ケーブル接続位置を有するハウジングであり、各前部ケーブル接続位置が相手側の同軸ケーブルコネクタを受け入れるために前面開口として形成され、各前面開口が前記取付けプレートの前記前面からアクセス可能であり、該ハウジングが一方の側にタブを含み、反対側に解除可能なラッチを含む、ハウジングと、
前記ハウジング内部に取り付けられる１対の同軸アセンブリであり、各同軸アセンブリが前記前部ケーブル接続位置の１つに隣接する第一の端及び前記後部ケーブル接続位置の１つに隣接する第二の端を有し、各同軸アセンブリが中心導体及び外殻導体を含み、前記ハウジングが前記外殻導体を電気的に隔離するための非導電体を含み、各同軸アセンブリが前記取付けプレートの前記前面からアクセス可能である、１対の同軸アセンブリと、
前記同軸アセンブリの前記中心導体と接触する第一の導電性バネ及び前記同軸アセンブリの前記外殻導体と接触する第二の導電性バネと、
を含み、
前記タブ及び前記ラッチが前記取付けプレートの前記壁と協働して、前記ハウジングを前記取付けプレートに解除可能に取り付け、
前記取付けプレートの前記前面を通過して前記相手側の同軸ケーブルコネクタを前記前面開口の１つの中へ挿入することによって、前記同軸ケーブルコネクタの中心導体を前記対応する同軸アセンブリの前記中心導体と電気的に接続し、前記同軸ケーブルコネクタの外殻導体を前記対応する同軸アセンブリの前記外殻導体と電気的に接続し、前記バネと前記対応する同軸アセンブリとの間の電気接触を遮断する、ことを特徴とする、同軸スウィッチングジャックアセンブリ。
【請求項２８】
前記取付けプレート及び前記ハウジングが、前記ハウジングを前記取付けプレートに対して相対的に整列させるために嵌め合いガイドを含むことを特徴とする、請求項２７に記載の同軸スウィッチングジャックアセンブリ。
【請求項２９】
前記ハウジング及び前記取付けプレートの嵌め合いガイドが、前記ハウジングが取り付けプレートに取り付けられるとき前記取付けプレートに対して相対的な前記ハウジングの側方の動きを防止することを特徴とする、請求項２８に記載の同軸スウィッチングジャックアセンブリ。
【請求項３０】
少なくとも１つの取付けプレートが取り付けられるフレームであり、前記取付けプレートが前記取付けプレートの後面に取り付けられる同軸スウィッチングジャックへの前面からの接近路となる、フレームと、
前記少なくとも１つの取付けプレートの前記後面に取り付けられる複数の同軸スウィッチングジャックであり、各同軸スウィッチングジャックが、
１対の後部ケーブル接続位置及び１対の前部ケーブル接続位置を有するハウジングであり、各前部ケーブル接続位置が相手側の同軸ケーブルコネクタを受け入れるために前面開口として形成され、前記前部ケーブル接続位置が前記取付けプレートの前記前面からアクセス可能である、ハウジングと、
前記ハウジング内部に取り付けられる１対の同軸アセンブリであり、各同軸アセンブリが前記前部ケーブル接続位置の１つに隣接する第一の端及び前記後部ケーブル接続位置の１つに隣接する第二の端を有し、各同軸アセンブリが中心導体及び外殻導体を含み、前記ハウジングが前記外殻導体を電気的に隔離するための非導電体を含む、１対の同軸アセンブリと、
前記同軸アセンブリの前記中心導体と接触する第一の導電性バネ及び前記同軸アセンブリの前記外殻導体と接触する第二の導電性バネと、
を含む、同軸スウィッチングジャックと、
を含み、
前記相手側の同軸ケーブルコネクタを前記前面開口の１つの中へ挿入することによって、前記第一のバネを偏向させて前記対応する同軸アセンブリの前記中心導体との間の電気接触から離し、前記第二のバネを偏向させて前記対応する同軸アセンブリの前記外殻導体との間の接触から離し、かつ前記同軸ケーブルコネクタの中心導体を前記同軸アセンブリの前記中心導体と電気的に接続し、かつ前記同軸ケーブルコネクタの外殻導体を前記同軸アセンブリの前記外殻導体と電気的に接続し、
前記第一及び第二のバネのいずれも前記相手側の同軸ケーブルコネクタに電気的に接触しない、ことを特徴とする、同軸スウィッチングパネル。
【請求項３１】
前記取付けプレートと前記ハウジングが、前記取付けプレートに対して相対的に前記ハウジングを整列させるために嵌め合いガイドを含むことを特徴とする、請求項３０に記載の同軸スウィッチングジャックパネル。
【請求項３２】
前記ハウジングが前記取付けプレートに取り付けられるとき前記ハウジングと前記取付けプレートの前記嵌め合いガイドが前記取付けプレートに対して相対的な前記ハウジングの側方の動きを防止することを特徴とする、請求項３１に記載の同軸スウィッチングジャックパネル。
【発明の詳細な説明】
【技術分野】
【０００１】
本発明は一般的に言って遠距離通信設備間の接続を行うための装置に関する。特に、本発明は同軸ケーブルを接続するための同軸スウィッチングジャックに関する。
【背景技術】
【０００２】
典型的なスウィッチング構成においては、接続パネルは多数の信号発生装置及び多数の信号処理装置を備えるスタジオ内に据え付けられる。信号発生装置から信号処理装置へまたは異なる信号処理装置間で信号を伝送するために同軸ケーブルを使用することができる。異なる信号発生または処理の必要に素早くかつ容易に応じられるようにこの設備間の接続構成に融通性があることが望ましい。装置の多くは信号入力経路及び信号出力経路を持つので、各々の装置がこれから接続パネルへ伸びる１対の同軸ケーブルを有する。この対のケーブルはスウィッチングジャックの１対の開口に接続される。複数の装置をスウィッチングジャックの後面に接続することができる。パネルに接続される設備の異なるピース間が接続されることが望ましい場合、スウィッチングジャックの前面に挿入される同軸パッチケーブルが使用される。設備構成が変化するとき、設備とパネルとの間の接続を妨害することなくパッチケーブルを配列し直すことによって設備間の接続を適合させることができる。
【発明の開示】
【発明が解決しようとする課題】
【０００３】
同軸スウィッチングジャックは、放送及び遠距離通信設備の異なるピース間において同軸ケーブルによって運ばれる信号を必要に応じて構成してこれを方向付けることを可能にする。デジタル及びアナログ音声信号並びにビデオ信号に同様のスウィッチングジャックを使用することができる。これらの信号のいずれにも使用できるスウィッチングジャック並びに選択的に対の信号をルーピングし、第三のケーブルを対の信号の１つに接続しながら他方の信号を終端し、両方の信号を他方のケーブルに接続することができるスウィッチングジャックを持つことが望ましい。
【課題を解決するための手段】
【０００４】
本発明は、１対の前面開口を有するハウジング内に取り付けられる１対の同軸アセンブリを持つ同軸スウィッチングジャックに関する。同軸アセンブリは、各々中心導体及び外殻導体を含む。中心導体は第一のバネによって接続され、外殻導体は第二のバネによって接続される。前面開口の１つの中へ同軸ケーブルコネクタを挿入すると、対応する同軸アセンブリからスプリングを偏向させて、２つのアセンブリの中心導体及び外殻導体を遮断する。同軸ケーブルコネクタが第一の同軸アセンブリ内に挿入される場合には第二の同軸アセンブリの中心導体と外殻導体との間の電気接続をもたらすようにジャックを形成することもできる。第二の同軸アセンブリの中心導体と外殻導体との間の接続は望ましい電気インピーダンスの選択を可能にする。
【０００５】
本発明は、さらにフレームに取り付けられる取付けプレートを持つパネルに関する。複数の同軸スウィッチングジャックは取付けプレートの後面に取り付けられる。スウィッチングジャックの前面の開口には取付けプレートの開口を通過してアクセスできる。
【０００６】
添付図面（明細書に組み込まれかつその一部を成す）は、本発明のいくつかの態様を示しており、記述と合わせて本発明の原理を説明するのに役立つ。
【発明を実施するための最良の形態】
【０００７】
次に、添付図面に示される本発明の態様例について詳細に述べる。可能な場合、全ての図面を通じて同じ参照番号は同一または類似の部品を指す。
【０００８】
図１及び２は、遠距離通信スウィッチングパネル１０を示しており、複数の同軸スウィッチングジャック１２が複数の取付けプレート１４及び取付けプレート１４が組み立てられるフレーム１６に取り付けられている。フレーム１６は、パネル１０を設備ラックなど他の構造に取り付けるための取付けフランジ１８を含むことができる。パネル１０は取付けプレート１４を貫通する複数のコネクタ用開口２０を含み、同軸ケーブルコネクタ（図１９に示されるような）を用いて取付けプレート１４の前面２２を通じてスウィッチングジャック１２へのアクセスを可能にする。各開口２２はスウィッチングジャック１２の前面開口の１つへのアクセスを可能にする。各スウィッチングジャック１２の後端には同軸ケーブルコネクタを受け入れるように形成される１対の後面開口２４がある。
【０００９】
図３及び４は、上列２６及び下列２８で２列のスウィッチングジャック１２を収容する取付けプレート１４を示している。後面３０は、協働して開口２０裏でスウィッチングジャックの方位を定めこれを整列させる縦溝３２及び横溝３４を含む。各列２６及び２８は、スウィッチングジャック１２の解除可能なラッチに係合するために後面３０から伸びる１対の取付けフランジ３６を含む。前面はフレームへの取り付けを容易にするために隆起部３８及び凹部４０を含むことができる。凹部エッジ４０は取付けプレート１４を配置するためにフレーム１６の縦レールを受け、隆起部３８は前面２２がフレーム１６とほぼ同一平面であるように凹部との間に段を作る。
【００１０】
図５及び６はスウィッチングジャックパネルの第二の実施態様４４を示しており、複数のスウィッチングジャック１２が複数の取付けプレートに取り付けられる。取付けプレート４６は、１対の取付けフランジ５０及び縦レール５２を有するフレーム５０に取り付けられる。取付けプレート４６の複数の前面開口２０はパネル４４の前面から取り付けプレート４６を通ってスウィッチングジャック１２への接近路となる。スウィッチングジャック１２の各々は、後面開口２４も含む。パネル４４は構造及び機能に関してパネル１０と同様であるが、単一列（５４）のスウィッチングジャック１２しか含まない。
【００１１】
図７及び８は、後面５６及びスウィッチングジャック１２の解除可能なラッチと係合するための１対のフランジ３６を持つ取付けプレート４６を示している。また、後面５６には、開口２０とスウィッチングジャック１２を整列させその方位を定めるための縦溝３２及び横溝３４がある。前面５８は隆起部６０及び凹エッジ６２を含む。
【００１２】
図９及び１０を見ると、スウィッチングジャック１２は、カバー１０２及び後壁１０４の１対の後面開口２４を持つハウジング１００を含む。タブ１０６及び対向する解除可能なラッチ１０８はハウジング１００から伸び、協働して取付けプレート１４か４６のフランジ３６と係合する。ハウジング１００及びカバー１０２は協働して内部１１０を形成する。ケーブルコネクタ用の内部１１０へのアクセスは後面開口２４または開口２０と整列される前面開口１１２を通って行うことができる。カバー１０２によって閉鎖されるハウジング１００の上部開口１１４を通過して、内部１１０に取り付けられるコンポーネントを挿入することができる。
【００１３】
内部１１０に取り付けられるものには、１対の旋回絶縁アクチュエータ１１８及び延長部１２０を持つ遮蔽導体接触バネ１１６を含む。また、相互に電気的に隔離される１対のレジスタソケット１２２も内部１１０に取り付けられ、その一方は遮蔽導体バネ１１６の延長部１２０と電気的に接触している。また、１対の同軸コネクタアセンブリ１２４も内部１１０に取り付けられ、各々が遮蔽導体１２３及び中心導体１２５を持つ。１対の延長部１３２を持つ中心導体接触バネ１３０は、延長部１３２の各々が通常同軸コネクタアセンブリ１２４の中心導体と接触しているように取り付けられる。遮蔽導体接触バネ１１６の接触パッド１１７を持つ１対のアームは、各々同軸コネクタアセンブリ１２４の１つの遮蔽導体１２３と通常接触している。レジスタパッド１２６はレジスタソケット１２２と係合する１対のピンを含む。
【００１４】
ハウジング１００の前面において、前面開口１１２の間に、取り付けプレート１４及び４６の後面５６の溝３２及び３４と係合するように形成される突起３３がある。
【００１５】
図１１から１５までは、ハウジング１００の開口１１４を通過して内部１１０にコンポーネントを組み立てるための手順を示している。図１１においてコンポーネントは全く設置されていない。図１２において、遮蔽導体接触バネ１１６が凹部１３４に配置され、接触アーム１１７が凹部１３４の延長部１３６に配置されている。絶縁旋回アクチュエータ１１８はアーム１１７上部のスロット１３８に配置される。アーム１１７及びバネ１１６は弾性導電体で作られることが望ましい。開口１１２からコネクタが挿入されていない通常のスウィッチが入れられていない状態において、アーム１１７の接触パッドはアクチュエータ１１８に対して圧力を加えて、同軸アセンブリ１２４の遮蔽導体１２３との接触を確立しこれを維持するのに十分に上方に偏向する。
【００１６】
図１３において、中心導体接触バネ１３０がハウジング１００内のポスト１３８と前壁１４０との間に配置されている。バネ１３０の延長部１３２は同軸アセンブリ１２４の中心導体と電気的に接触するように外向きに伸びる。各延長部１３２の外端に隣接して絶縁パッド１４２が取り付けられる。開口１１２を通過してコネクタが挿入されていないとき、バネ１３０は、通常、中心導体１２５に電気的に接続している。
【００１７】
図１４において、レジスタソケット１２２が凹部１４４内に配置されている。ソケット１２２のうち１つはバネ１１６の延長部１２０と接触するように配置される。他方のソケットはバネ１３０近くのポストに隣接して配置されるが、通常、バネ１３０または延長部１３２とは電気的に接触しない。図１５において、各同軸アセンブリ１２４の遮蔽導体１２３がアーム１１７の１つのパッドと電気的に接触しかつ各アセンブリ１２４の中心導体１２５が延長部１３２の１つと電気的に接触するように、同軸アセンブリ１２４がハウジング１００内に配置されている。
【００１８】
図１６は、中に中心導体１２５及び絶縁半体１４８が取り付けられる開口１４６を同軸アセンブリ１２４の遮蔽導体１２３がどのように形成するかを示している。絶縁半体１４８は開口１４６内における中心導体１２５の位置を定め、かつ遮蔽導体１２３から中心導体１２５を電気的に絶縁する。
【００１９】
図１７は、同軸アセンブリ１２４と係合するための１対の溝、及び延長部１２０と係合して延長部１２０とレジスタソケット１２２との間の接触を維持するための凹部１５４を持つバルクヘッド１５２を持つ、カバー１０２の内面を示している。１対の開口１５６はレジスタパッド１２６のピン１２８のためにカバー１０２を通過してレジスタソケット１２２にアクセスできるようにする。１対のスタンドオフ１５８は開口１１４内におけるカバー１０２の位置決めを助ける。
【００２０】
図１８は、ピン１２８、及び下向きに伸びる１対のアセンブリピン１６２を持つキャップ１６０を持つ、レジスタパッド１２６を示す。レジスタ１６４はアセンブリピン１６２及び１対のバネ１６６の間に取り付けられる。ピン１２８はアセンブリピン１６２の周りに嵌まり、バネ１６６とレジスタ１６４を相互に電気的に接触した状態で保持する。レジスタ１６４はピン１２８の一方から他方のピン１２８へ流れる電流に較正されたインピーダンスを与える。
【００２１】
図１９及び２５は、同軸アセンブリ１２４と係合するために前面開口１１２の中へ挿入されるための同軸コネクタ２００を示しており、前部リップ２０２を含む。図２０から２４までは同軸アセンブリ１２４と係合するために後面開口２４の中へ挿入されるための同軸コネクタ２１０を示している。同軸アセンブリ１２４はコネクタ２００の外側すなわち遮蔽導体２０４をコネクタ２１０の外側すなわち遮蔽導体２１２と電気的に連結させ、コネクタ２００の中心導体２０６をコネクタ２１０の中心導体２１２と連結させる。図２１から２４まではコネクタ２１０を組み立てて、これを同軸ケーブル２２０の終端として取り付けるための一連のステップを示している。同軸ケーブル２２０は外装２２４と内側絶縁体２２６との間に配置される外側すなわち遮蔽導体２２２を含む。中心導体２２８は内側絶縁体２２６内部に配置され、外側導体２２２から電気的に絶縁される。コネクタ２１０の中心導体２１４はケーブル２２０の中心導体２２８の遠位端を受けるためのクリンプカップ２３０を含む。クリンプカップ２３０は中心導体２２８の周りにクリンプ（縁曲げ）され、絶縁体（図には示されていない）内で外殻２１２内に挿入される。ケーブル２２０の外側導体２２２は内側絶縁体２２６から分離され、コネクタ２１０のクリンプ部２３４の周りに配置される。外装２２４の周りに配置されるクリンプスリーブ２３２は外側導体２２２に被せてクリンプ部２３４の周りに配置され、機械的に所定の位置にクリンプされる。ケーブル２２０はこのようにしてコネクタ２１０に固定され、外側導体２２２及び中心導体２２８はそれぞれコネクタ２１０の外側導体２１２及び中心導体２１４と電気的に接続される。
【００２２】
図２６は、ハウジング１００からカバー１０２が取り外されかつ２つのコネクタ２１０が後部開口２４に挿入されている状態のスウィッチングジャック１２を示している。この構成においては、前面開口１１２内にコネクタ２００は挿入されておらず、各コネクタ２１０の外側導体２１２はバネ１１６及び外側導体１２３によって電気的に接続される。コネクタ２１０の中心導体２１４もバネ１３０及び中心導体１２５によって電気的に接続される。
【００２３】
コネクタ２００が開口内１１２にまず挿入されると、前部リップ２０２はバネ１３０の延長部１３２のパッド１４２と接触する。バネ１３０と電気的に接触することなく、前部リップ２０２は延長部１３２を偏向させて中心導体１２５との接触から離す。これによって中心導体２１４の電気的連結を遮断する。パッド１４２はコネクタ２００の外側導体２０４をバネ１３０との電気接触から絶縁する。延長部１３２が中心導体１２５との接触から離れた後、延長部は動いてレジスタソケット１２２と接触する。
【００２４】
コネクタ２００のさらなる挿入は前部リップ２０２をアクチュエータ１１８と接触させる。前部リップ２０２はアクチュエータ１１８を押し、アクチュエータはバネ１１６のアーム１１７を押して、バネ１１６と外側導体１２３を電気的に遮断する。絶縁旋回アクチュエータ１１８はコネクタ２００の外側導体２０４とバネ１１６との間の電気接触を防止する。開口１１２の中へのコネクタ２００のさらなる挿入は、前部リップ２０２を外側導体１２３の中へ前進させ、中心導体２０６と１２５を電気的に接触させる。外側導体１２３及び２０４は中心導体１２５及び２０６の周りの連続的遮蔽を形成する。
【００２５】
１つのコネクタ２００が図２７に示される通り開口１１２の１つを通過して１つの同軸アセンブリ１２４の中へ挿入されるとき、他方の同軸アセンブリ１２４はバネ１１６及び１３０と電気的に接触したままである。レジスタパッドがソケット１２２の中へ挿入される場合、これは、バネ１１６及び１３０が他方の同軸アセンブリ１２４の中心導体と遮蔽導体を電気的に接続することを意味する。場合によって、中心導体と遮蔽導体との間にある程度のレベルのインピーダンス例えば７５オームを持つことが望ましい。レジスタパッド１２６のレジスタ１６４を変えることによって他のレベルのインピーダンスを与えることができる。別の場合には、接続されていない同軸アセンブリの中心導体と遮蔽導体が電気的に連結されないことが望ましい場合がある。このような場合、非導電性挿入物をソケット１２２内に配置することができる。
【００２６】
第二のコネクタ２００が他方の開口１１２に挿入されると、前部リップ２０２は延長部１３２を中心導体から偏向させ、アクチュエータ１１８を押して、他方の同軸アセンブリ１２４の外側導体１２３からパッド１１７を偏向させる。これが図２８に示されている。このような状況において、バネ１１６及び１３０は同軸アセンブリまたは同軸コネクタの中心導体または遮蔽導体のいずれとの電気接触からも遮断される。
【００２７】
非スウィッチングジャックペアアセンブリを形成するためにもハウジング１００を使用することができる。このような非スウィッチング同軸ジャックの代替形態を形成するために、バネ１１６及び１３０は上記のように挿入されない。同軸アセンブリ１２４は、この場合、直通接続として機能し、さらに、コネクタ２００及び２１０が挿入されるときジャック内ですべての中心導体の全長の周りに連続的な外側遮蔽導体をもたらす。
【００２８】
以上の説明、例及びデータは本発明の製造及び使用の完全な説明を与える。本発明の多くの実施態様は本発明の精神及び範囲から逸脱することなく実施できるので、本発明は特許請求の範囲内に存在する。
【図面の簡単な説明】
【００２９】
【図１】本発明に係る同軸スウィッチングパネルの前面斜視図である。
【図２】図１のスウィッチングパネルの後面斜視図である。
【図３】図１のスウィッチングパネルのジャック取付けプレートの前面斜視図である。
【図４】図３のジャック取付けプレートの後面斜視図である。
【図５】本発明に係る代替同軸スウィッチングパネルの前面斜視図である。
【図６】図５のスウィッチングパネルの後面斜視図である。
【図７】図６のスウィッチングパネルのジャック取付けプレートの前面斜視図である。
【図８】図６のジャック取付けプレートの後面斜視図である。
【図９】本発明に係る同軸スウィッチングジャックの斜視図である。
【図１０】図９のスウィッチングジャックの分解斜視図である。
【図１１】図９のスウィッチングジャックのハウジングの斜視図である。
【図１２】図１１のジャックハウジングの斜視図であり、ハウジング内部に遮蔽導体バネ及び絶縁アクチュエータが配置されている。
【図１３】図１２のジャックハウジングの斜視図であり、ハウジング内部に中心導体バネが配置されている。
【図１４】図１３のジャックハウジングの斜視図であり、ハウジング内部に１対のレジスタソケットが配置されている。
【図１５】図１４のジャックハウジングの斜視図であり、ハウジング内部に１対の同軸コネクタアセンブリが取り付けられている。
【図１６】図１５の同軸コネクタアセンブリの分解斜視図である。
【図１７】図１５のジャックアセンブリ用のカバーの内面の斜視図である。
【図１８】図９のジャックハウジングに使用するためのレジスタアセンブリの分解図である。
【図１９】図９のスウィッチングジャックに使用するための第一の同軸ケーブルコネクタの斜視図である。
【図２０】図９のスウィッチングジャックに使用するための第二の同軸ケーブルコネクタの斜視図である。
【図２１】遠距離通信用同軸ケーブルに取り付けられる図２０の同軸ケーブルコネクタの分解側面図である。
【図２２】図２１の同軸ケーブルコネクタの側面図であり、ケーブルの中心導体が同軸ケーブルコネクタの中心導体にクリンプされている。
【図２３】図２２の同軸ケーブルコネクタの側面図であり、中心導体が同軸ケーブルコネクタの外殻内部に挿入され、ケーブルの遮蔽導体が同軸ケーブルコネクタの外殻の一部の周りに伸びている。
【図２４】図２１の同軸ケーブルコネクタの組立て済み側面図であり、遮蔽導体が同軸ケーブルコネクタの外側外殻にクリンプされ、同軸ケーブルコネクタの遠位部が部分断面で示されている。
【図２５】図１９の第一の同軸ケーブルコネクタの側面図であり、遠位部が部分断面で示されている。
【図２６】図１５のジャックハウジングの斜視図であり、１対のケーブルコネクタがスウィッチジャックの後面開口の中へ挿入されている。
【図２７】図２６のジャックハウジングの斜視図であり、第一の同軸ケーブルコネクタがスウィッチジャックの前面開口の１つの中へ挿入されている。
【図２８】図２７のジャックハウジングの斜視図であり、１対の同軸ケーブルコネクタがスウィッチングジャックの前面開口の中へ挿入されている。
【図１】
2008538050.tif 000003
【図２】
2008538050.tif 000004
【図３】
2008538050.tif 000005
【図４】
2008538050.tif 000006
【図５】
2008538050.tif 000007
【図６】
2008538050.tif 000008
【図７】
2008538050.tif 000009
【図８】
2008538050.tif 000010
【図９】
2008538050.tif 000011
【図１０】
2008538050.tif 000012
【図１１】
2008538050.tif 000013
【図１２】
2008538050.tif 000014
【図１３】
2008538050.tif 000015
【図１４】
2008538050.tif 000016
【図１５】
2008538050.tif 000017
【図１６】
2008538050.tif 000018
【図１７】
2008538050.tif 000019
【図１８】
2008538050.tif 000020
【図１９】
2008538050.tif 000021
【図２０】
2008538050.tif 000022
【図２１】
2008538050.tif 000023
【図２２】
2008538050.tif 000024
【図２３】
2008538050.tif 000025
【図２４】
2008538050.tif 000026
【図２５】
2008538050.tif 000027
【図２６】
2008538050.tif 000028
【図２７】
2008538050.tif 000029
【図２８】
2008538050.tif 000030
【国際調査報告】
2008538050.tif 000031
2008538050.tif 000032
2008538050.tif 000033
2008538050.tif 000034
2008538050.tif 000035